(57)【要約】【課題】ＭＦトーンを送出する機器を用いた市外発信規制抜けを防止する。【解決手段】内線電話機におけるオフフックを検出すると、当該内線電話機から網へ到る音声信号の通路を閉結することなく、当該内線電話機におけるダイヤル操作を検出するダイヤル検出手段と、このダイヤル検出手段が検出したダイヤル操作に対応するトーンを前記網へ送出するトーン送出手段とを具備する。【選択図】  図１
2004328248.tif 000002
【特許請求の範囲】
【請求項１】
内線電話機におけるオフフックを検出すると、当該内線電話機から網へ到る音声信号の通路を閉結することなく、当該内線電話機におけるダイヤル操作を検出するダイヤル検出手段と、
このダイヤル検出手段が検出したダイヤル操作に対応するトーンを前記網へ送出するトーン送出手段と
を具備することを特徴とする電話装置。
【請求項２】
所定桁のダイヤル操作が行われることに応じて当該内線電話機から網へ到る音声信号の通路を閉結する音声信号の通路制御手段を
具備することを特徴とする請求項１に記載の電話装置。
【請求項３】
内線電話機におけるオフフックを検出すると、網から当該内線電話機へ到る音声信号の通路を閉結する音声信号の通路制御手段を
具備することを特徴とする請求項１に記載の電話装置。
【発明の詳細な説明】
【０００１】
【発明の属する技術分野】
この発明は、ボタン電話装置や構内交換機などの電話装置に関する。
【０００２】
【従来の技術】
従来のボタン電話装置等においては、機能設定により市外発信規制を受けるようにすることが可能である。つまり、市外発信規制を受けている内線電話機から規制を受けるダイヤルを入力すると局線との接続が断たれてしまうのである。
【０００３】
しかしながら、上記の市外発信規制を受けている内線電話機からダイヤル入力することなく、図６に示すようにＭＦ発生器５１からダイヤル番号に対応するＭＦトーンをハンドセット４１へ入力すると、市外発信規制抜けが行われる。
【０００４】
つまり、従来のボタン電話装置は、内線電話機においてオフフックがなされると、図６に示すように当該内線電話機のハンドセット４１の送話器４２から局（網）へ到る音声経路を閉結すると共に、局（網）から上記ハンドセット４１の受話器４３へ到る音声経路を閉結する。
【０００５】
【発明が解決しようとする課題】
従って、ボタン電話装置のシステムは、ＭＦ発生器５１から発生されるダイヤル番号に対応するＭＦトーンを検出することなく、通過させるので、市外発信規制抜けが行われることになる。
【０００６】
本発明は上記のような従来の電話装置が有する問題点を解決せんとしてなされたもので、その目的は、ＭＦ発生器等のＭＦトーンを送出する機器を用いた市外発信規制抜けを防止することが可能な電話装置を提供することである。
【０００７】
【課題を解決するための手段】
本発明における電話装置は、内線電話機におけるオフフックを検出すると、当該内線電話機から網へ到る音声信号の通路を閉結することなく、当該内線電話機におけるダイヤル操作を検出するダイヤル検出手段と、このダイヤル検出手段が検出したダイヤル操作に対応するトーンを前記網へ送出するトーン送出手段とを具備することを特徴とする。これにより、ダイヤル操作がない限り、内線電話機から網へ到る音声信号の通路を閉結することなく、ＭＦトーンを送出する機器を用いた市外発信規制抜けを防止することが可能である。
【０００８】
本発明における電話装置は、所定桁のダイヤル操作が行われることに応じて当該内線電話機から網へ到る音声信号の通路を閉結する音声信号の通路制御手段を具備することを特徴とする。これにより、所定桁のダイヤル操作が行われるとこれに応じて当該内線電話機から網へ到る音声信号の通路が閉結される。
【０００９】
本発明における電話装置は、内線電話機におけるオフフックを検出すると、網から当該内線電話機へ到る音声信号の通路を閉結する音声信号の通路制御手段を具備することを特徴とする。これにより、オフフックが検出されると、内線電話機から網へ到る音声信号の通路を閉結することなく、ＭＦトーンを送出する機器を用いた市外発信規制抜けを防止することが可能である。
【００１０】
【発明の実施の形態】
以下添付図面を参照して、本発明の実施の形態に係る電話装置を説明する。ここでは、電話装置としてボタン電話機を例とするが、構内交換機等についても本発明は適用可能である。図１には、本発明の実施の形態であるボタン電話装置が示されている。ボタン電話装置は、主装置１と内線電話機２−１〜２−ｎを備えている。
【００１１】
主装置１には、内線電話機２−１〜２−ｎに接続される内線回路３−１〜３−ｎ、スイッチ４、外線（局線）５−１〜５−ｍに接続される外線回路６−１〜６−ｍ、制御部７が備えられている。上記において、スイッチ４は制御部７の制御により、内線回路３−１〜３−ｎ相互間を接続し、或いは、内線回路３−１〜３−ｎと外線回路６−１〜６−ｍの間を接続する。
【００１２】
スイッチ４には、トーンＲＯＭ８が接続されており、制御部７の制御により上記トーンＲＯＭ８からＭＦトーンを送出可能となっている。外線回路６−１〜６−ｍは、着信検出機能を有し、着信があるとその旨を制御部７へ通知する。
【００１３】
内線回路３−１〜３−ｎは、内線電話機２−１〜２−ｎにおけるオフフックやキー操作を検出して、対応する情報を制御部７へ通知する一方、制御部７から着信指示等を受けて内線電話機２−１〜２−ｎにおける呼出音の発生やＬＥＤの点灯消灯などの制御を行う。
【００１４】
また、内線回路３−１〜３−ｎとスイッチ４と外線回路６−１〜６−ｍの間は上り方向と下り方向（内線回路側から網へ到る経路を「上り」、網から内線回路側へ到る経路を「下り」という）の音声信号の通路が設けられ、これら内線回路３−１〜３−ｎとスイッチ４と外線回路６−１〜６−ｍの少なくとも１つにおいて、制御部７の制御により上り下り２方向の音声信号の通路それぞれの閉結と開放が行われる。ここでは、内線回路３−１〜３−ｎにおいて、双方向の音声信号の通路の閉結と開放が行われるものとして説明を行う。
【００１５】
制御部７は、例えば、プロセッサとメモリなどにより構成されるコンピュータの構成であり、プログラムにより各部の制御を行う。メモリには、各内線電話機２−１〜２−ｎに関する発信規制のデータが格納されている。制御部７は、図２に示される発呼処理を行うので、以下にその動作を説明する。
【００１６】
制御部７は内線回路３−１を介して、例えば、内線電話機２−１においてオフフックがなされたか否かを検出する（Ｓ１）。ここで、オフフックが検出されると、スイッチ４を制御して内線回路３−１と例えば外線回路６−１を接続し、また、内線回路３−１における上りの音声信号の通路を閉結して（Ｓ２）、内線電話機２−１においてダイヤルキーが操作されダイヤル入力がなされるのを待つ（Ｓ３）。この状態が、図３に示されている。つまり、システムである主装置１によっては、内線電話機２−１と網との間において上りの音声信号の通路が閉結され、下りの音声信号の通路が開放された状態にある。従って、内線電話機２−１においては、網から送られるダイヤルトーンを聞くことができる。
【００１７】
上記ステップＳ３においてダイヤルキーが操作されダイヤル入力がなされると、これを受けて制御部７は内線回路３−１から情報を受け取り蓄積し（Ｓ４）、所定桁（市外ダイヤルコード（Ａ／Ｃコード）分で、３桁）のダイヤルキーの操作が行われたかを検出する（Ｓ５）。所定桁のダイヤルキーの操作がなされると、当該内線電話機２−１に関する発信規制のデータをメモリから取り出し、発信が許可されているか否かを検出する（Ｓ６）。
【００１８】
ここで、発信が許可されていない場合には、スイッチ４等を復旧させて（Ｓ７）、エンドとなる。また、発信が許可されている場合には、上記において操作され蓄積されたダイヤルキーに対応するトーンをトーンＲＯＭ８から送出させる（Ｓ８）。この状態が、図４に示されている。つまり、システムである主装置１によっては、内線電話機２−１と網との間において下りの音声信号の通路が開放された状態にあるが、トーンＲＯＭ８からトーンが送出される。このトーンは内線電話機２−１の受話器から聞くことができる。
【００１９】
次に、制御部７は内線回路３−１を制御して下りの音声ラインを接続して（Ｓ９）、更にダイヤルキー操作により与えられる情報に対応するトーンをトーンＲＯＭ８から送出させる（Ｓ１０）。この状態が、図５に示されている。つまり、システムである主装置１によっては、内線電話機２−１と網との間において上り下りの音声信号の通路が閉結された状態にあり、トーンＲＯＭ８からトーンが送出される。このトーンは内線電話機２−１の受話器から聞くことができる。勿論、この状態では上り下りの音声信号の通路が閉結された状態にあり、３桁のＡ／Ｃコードに続く電話番号をＭＦ発生器等から送出して、所望の相手との接続を得ることもできる。
【００２０】
【発明の効果】
以上説明したように本発明の電話装置によれば、内線電話機におけるオフフックを検出すると、当該内線電話機から網へ到る音声信号の通路を閉結することなく、当該内線電話機におけるダイヤル操作を検出し、検出したダイヤル操作に対応するトーンを前記網へ送出するので、ダイヤル操作がない限り、内線電話機から網へ到る音声信号の通路を閉結することなく、ＭＦトーンを送出する機器を用いた市外発信規制抜けを防止することが可能である。
【００２１】
また本発明の電話装置によれば、所定桁のダイヤル操作が行われると、これに応じて当該内線電話機から網へ到る音声信号の通路が閉結されるので、これ以降はＭＦトーンを内線電話機の送話器から入力して所望の相手との接続を得ることが可能となる。
【００２２】
また本発明の電話装置によれば、内線電話機におけるオフフックを検出すると、網から当該内線電話機へ到る音声信号の通路を閉結するので、網から送られるトーンなどを当該内線電話機の受話器にて聞くことができる。
【図面の簡単な説明】
【図１】本発明に係る電話装置であるボタン電話装置の構成を示す図。
【図２】本発明に係る電話装置であるボタン電話装置の動作を説明するためのフローチャート。
【図３】本発明に係る電話装置であるボタン電話装置におけるオフフック時の音声信号の通路の状態を説明するための図。
【図４】本発明に係る電話装置であるボタン電話装置における所定桁数入力時の音声信号の通路の状態を説明するための図。
【図５】本発明に係る電話装置であるボタン電話装置における所定桁数入力後の音声信号の通路の状態を説明するための図。
【図６】従来例に係るボタン電話装置のオフフック時の音声信号の通路の状態を説明するための図。
【符号の説明】
１  主装置
２−１〜２−ｎ  内線電話機
３−１〜３−ｎ  内線回路
４  スイッチ
５−１〜５−ｍ  外線（局線）
６−１〜６−ｍ  外線回路
７  制御部
８  トーンＲＯＭ
【図１】
2004328248.tif 000003
【図２】
2004328248.tif 000004
【図３】
2004328248.tif 000005
【図４】
2004328248.tif 000006
【図５】
2004328248.tif 000007
【図６】
2004328248.tif 000008